(57)【特許請求の範囲】
【請求項１】
立体画像及び平面画像を選択的に表示する表示パネルと、
導光板、前記導光板の第１エッジに隣接して配置された第１乃至第ｋトップ光源ブロックからなる第１発光モジュール、前記第１エッジに対向する前記導光板の第２エッジに隣接して配置された第１乃至第ｍボトム光源ブロックからなる第２発光モジュール、及び光源駆動部を含む光源モジュールとを備え、
前記光源駆動部は、外部から受信した第１画像信号に基づいて、前記第１乃至第ｋトップ光源ブロック及び第１乃至第ｍボトム光源ブロック各々に対応する第１乃至第ｋトップデューティ制御信号及び第１乃至第ｍボトムデューティ制御信号を生成し、
第１イネーブル信号及び第２イネーブル信号に応答して選択的に、前記第１乃至第ｋトップデューティ制御信号を、前記第１発光モジュールを駆動する第１乃至第ｋトップ駆動信号に、また前記第１乃至第ｍボトムデューティ制御信号を、前記第２発光モジュールを駆動する第１乃至第ｍボトム駆動信号に、それぞれ変換して出力し、
前記表示パネルは、
Ｐ個に分けられた複数のゲートライングループに対応して第１乃至第Ｐ表示領域に分けられ、前記第１乃至第Ｐ表示領域に対応してＰ個に分けられた前記第１画像信号に基づく１フレーム単位の画像データのそれぞれが、前記第１乃至第Ｐ表示領域に順次に提供され、
前記光源モジュールは、
前記立体画像を表示する場合、同一区間中に相補的な値を有する前記第１及び第２イネーブル信号に応答して第１区間の間に前記第１発光モジュールのそれぞれの光源ブロックを点灯し、第２区間の間に前記第２発光モジュールのそれぞれの光源ブロックを点灯し、
前記平面画像を表示する場合、同一区間中に同じ値を有する前記第１及び第２イネーブル信号に応答して前記第１区間及び前記第２区間の間に前記第１及び第２発光モジュールのそれぞれの光源ブロックを点灯することを特徴とする表示装置（ｋ、ｍ、及びＰは自然数）。
【請求項２】
第１シャッタ及び第２シャッタを含むシャッタメガネをさらに含み、
前記表示パネルは、前記第１区間の第Ｎフレーム及び前記第２区間の第（Ｎ＋１）フレームの間に第１画像を表示し、前記第１区間の第（Ｎ＋２）フレーム及び前記第２区間の第（Ｎ＋３）フレームの間に第２画像を表示し、
前記第Ｎフレーム及び前記第（Ｎ＋１）フレームに対応して、前記第１シャッタは開か
れ、前記第２シャッタは閉ざされ、
前記第（Ｎ＋２）フレーム及び前記第（Ｎ＋３）フレームに対応して、前記第１シャッ
タは閉ざされ、前記第２シャッタは開かれることを特徴とする請求項１に記載の表示装置（Ｎは自然数）。
【請求項３】
前記シャッタメガネは、前記第１画像の画像データに含まれる左眼画像の垂直開始信号に応答して、予め設定された時間後に前記第１シャッタを開閉し、前記第２画像の画像データに含まれる右眼画像の垂直開始信号に応答して、予め設定された時間後に前記第２シャッタを開閉することを特徴とする請求項２に記載の表示装置。
【請求項４】
前記光源駆動部は、
前記第１及び第２画像の画像データを利用して、第１乃至第ｋトップデューティ比及び第１乃至第ｍボトムデューティ比を決めるディミングレベル決定部と、
前記第１乃至第ｋトップデューティ比及び前記第１乃至第ｍボトムデューティ比を利用
して、前記第１乃至第ｋトップデューティ制御信号及び前記第１乃至第ｍボトムデューテ
ィ制御信号を生成するデューティ制御信号発生部と、を含むことを特徴とする請求項２に
記載の表示装置。
【請求項５】
前記光源駆動部は、ディミング制御部を含み、
前記ディミング制御部は、
前記第１乃至第ｋトップ光源ブロック及び第１乃至第ｍボトム光源ブロックに対応する
前記第１及び第２画像の画像データを分析して代表輝度値を抽出する画像分析部と、
前記代表輝度値を利用して、前記第１乃至第ｋトップ光源ブロックの明度を制御する前
記第１乃至第ｋトップデューティ比及び第１乃至第ｍボトム光源ブロックの明度を制御す
る前記第１乃至第ｍボトムデューティ比を決めるディミングレベル決定部を含むことを特
徴とする請求項４に記載の表示装置。
【請求項６】
前記デューティ制御信号発生部は、
前記第１画像信号に基づく立体画像イネーブル信号がローの場合、前記第１乃至第ｋトップデューティ制御信号を利用して前記第１乃至第ｋトップ駆動信号を生成し、前記立体画像イネーブル信号がハイの場合、第１区間で前記第１乃至第ｋトップデューティ制御信号を利用して前記第１乃至第ｋトップ駆動信号を生成する第１変換部と、
前記第１画像信号に基づく立体画像イネーブル信号がローの場合、前記第１乃至第ｍボトムデューティ制御信号を利用して前記第１乃至第ｍボトム駆動信号を生成し、前記立体画像イネーブル信号がハイの場合、第２区間で前記第１乃至第ｍボトムデューティ制御信号を利用して前記第１乃至第ｍボトム駆動信号を生成する第２変換部と、を含むことを特徴とする請求項４に記載の表示装置。
【請求項７】
前記第１変換部は、
前記第１区間に対応してハイレベルを有する第１イネーブル信号に応答して前記第１乃
至第ｋトップデューティ制御信号を通過させ、前記第２区間に対応してハイレベルを有す
る第２イネーブル信号に応答して前記第１乃至第ｋトップデューティ制御信号を遮断させ
る第１スイッチング部と、
前記第１スイッチング部から提供される前記第１乃至第ｋトップデューティ制御信号を
利用して前記第１乃至第ｋトップ駆動信号を生成し、前記第１発光モジュールを駆動する
第１駆動部を含むことを特徴とする請求項６に記載の表示装置。
【請求項８】
前記第２変換部は、
前記第２区間に対応してハイレベルを有する第２イネーブル信号に応答して前記第１乃
至第ｍボトムデューティ制御信号を通過させ、前記第１区間に対応してハイレベルを有す
る第１イネーブル信号に応答して前記第１乃至第ｍボトムデューティ制御信号を遮断させ
る第２スイッチング部と、
前記第２スイッチング部から提供される前記第１乃至第ｍボトムデューティ制御信号を
利用して前記第１乃至第ｍボトム駆動信号を生成し、前記第２発光モジュールを駆動する
第２駆動部を含むことを特徴とする請求項７に記載の表示装置。
【請求項９】
前記第１イネーブル信号は前記第１画像の画像データに含まれた左眼画像の垂直開始信号に応答して予め設定された時間後に同期され、前記第２イネーブル信号は前記第２画像の画像データに含まれた右眼画像の垂直開始信号に応答して予め設定された時間後に同期されることを特徴とする請求項８に記載の表示装置。
【請求項１０】
前記第１画像は左眼画像及びブラック画像を含み、前記第２画像は右眼画像及びブラッ
ク画像を含み、前記第Ｎフレーム及び前記第（Ｎ＋１）フレームの間に前記第１画像に含
まれた前記左眼画像は前記表示パネルの第１乃至第ｋ表示ブロックに順次に表示され、前
記第（Ｎ＋２）フレーム及び前記第（Ｎ＋３）フレームの間に前記第２画像に含まれた前
記右眼画像は前記表示パネルの第１乃至第ｋ表示ブロックに順次表示されることを特徴と
する請求項２に記載の表示装置。
【発明の詳細な説明】
【技術分野】
【０００１】
本発明は表示装置に係り、より詳しくは、向上した表示品質を有し、低コストで製造できる表示装置に関する。
【背景技術】
【０００２】
一般に表示装置は２次元平面画像を表示する。最近、ゲーム、映画などの分野で３次元立体画像に対する需要が増加し、３次元立体画像を表示する表示装置が開発されている。３次元立体画像を視認する原理は、観察者が視認したひと組の２次元平面画像を、観察者の脳内で融合して立体感を視認するものである。
【０００３】
通常、立体画像表示装置は、人の両眼を通じての両眼視差（ｂｉｎｏｃｕｌａｒ  ｐａｒａｌｌａｘ）の原理を利用して立体画像を表示する。例えば、人の両眼は、一定程度離れているので、それぞれの目で異なる角度で観察した画像が、脳内に入力される。立体画像表示装置は、こうした両眼視差を利用している。
【０００４】
両眼視差を利用する立体画像表示装置の方式としては、メガネ方式（ｓｔｅｒｅｏｓｃｏｐｉｃ）と非メガネ方式（ａｕｔｏｓｔｅｒｅｏｓｃｏｐｉｃ）がある。メガネ方式には、両眼に各々青色と赤色の色眼鏡をかけるアナグリフ（ａｎａｇｌｙｐｈ）方式と、時間分割して左眼画像と右眼画像を周期的に表示し、この周期に同期された左眼シャッタと右眼シャッタを開閉する眼鏡をかけるシャッタメガネ（Ｓｈｕｔｔｅｒ  Ｇｌａｓｓ）方式などがある。
【０００５】
液晶表示装置は、プログレシブ・スキャン（Ｐｒｏｇｒｅｓｓｉｖｅ  Ｓｃａｎ）方式で駆動されるので、液晶表示装置の複数の水平ラインにラインデータが印加される時間が全部異なり、同一時間に対する液晶応答も異なる。このような液晶表示装置の駆動特性に従って、液晶表示装置に左眼画像と右眼画像を交互に表示して立体画像を表示する場合、左眼画像と右眼画像との間の階調差及びプログレシブ・スキャン方式による左眼画像と右眼画像が表示されるタイミングによってクロストークがひどく発生する場合があり、従来の液晶表示装置においては、このようなクロストークの発生によって立体画像の品質が低下するといった問題点があった。また、クロストークを防止するために直下型発光ダイオード及びエッジ型発光ダイオードを用いるという方法もあるが、これには、光源駆動のために直列通信方式を使うので回路が複雑になり製造コストが増加するといった問題点があった。
【先行技術文献】
【特許文献】
【０００６】
【特許文献１】特開２００８−２６８３９７号公報
【特許文献２】韓国特許出願公開２００８−０１０５８７３号明細書
【特許文献３】特開２００５−０７７４３７号公報
【発明の概要】
【発明が解決しようとする課題】
【０００７】
本発明は上記従来の問題点に鑑みてなされたものであって、本発明の目的は、向上した表示品質を有し低コストで製造できる表示装置を提供することにある。
【課題を解決するための手段】
【０００８】
上述の本発明の目的を実現するための一実施形態に係る表示装置は、表示パネル及び光源モジュールを含み、表示パネルは、第１区間の第Ｎフレーム及び第２区間の第（Ｎ＋１）フレームの間に第１画像を表示し、光源モジュールは導光板の第１エッジに配置された第１〜第ｋトップ光源ブロックからなる第１発光モジュールと、第１エッジと対向する導光板の第２エッジに配置された第１〜第ｍボトム光源ブロックからなる第２発光モジュールと、第１発光モジュール及び第２発光モジュールを駆動する光源駆動部を含む。光源駆動部は第１画像に基づいて、第１〜第ｋトップ光源ブロック及び第１〜第ｍボトム光源ブロックの各々に対応する第１〜第ｋトップデューティ制御信号及び第１〜第ｍボトムデューティ制御信号を生成し、立体画像イネーブル信号により、第１〜第ｋトップデューティ制御信号を利用して第１発光モジュールを駆動する第１〜第ｋトップ駆動信号及び第１〜第ｍボトムデューティ制御信号を利用して第２発光モジュールを駆動する第１〜第ｍボトム駆動信号を選択的に生成して第１区間の間に第１発光モジュールを駆動し、第２区間の間に第２発光モジュールを駆動する（ｋ、ｍ及びＮは自然数）。
【０００９】
本発明の一実施形態において、表示パネルは第１区間の第（Ｎ＋２）フレーム及び第２区間の第（Ｎ＋３）フレームの間に第２画像を表示し、第Ｎフレーム及び第（Ｎ＋１）フレームに対応してシャッタメガネの第１シャッタを開いて第２シャッタを閉じ、第（Ｎ＋２）フレーム及び第（Ｎ＋３）フレームに対応して第１シャッタを閉じて第２シャッタを開くシャッタメガネをさらに含むことができる。
【００１０】
本発明の一実施形態において、シャッタメガネは第１画像が含む左眼画像の垂直開始信号に応答して予め設定された時間後に第１シャッタを開閉し、第２画像が含む右眼画像の垂直開始信号に応答して予め設定された時間後に第２シャッタを開閉することができる。
【００１１】
本発明の一実施形態において、光源駆動部は、第１及び第２画像を利用して第１〜第ｋトップデューティ比及び第１〜第ｍボトムデューティ比を決定するディミングレベル決定部、及び第１〜第ｋトップデューティ比及び第１〜第ｍボトムデューティ比を利用して第１〜第ｋトップデューティ制御信号及び第１〜第ｍボトムデューティ制御信号を生成するデューティ制御信号発生部を含むことができる。
【００１２】
本発明の一実施形態において、ディミング制御部は、第１〜第ｋトップ光源ブロック及び第１〜第ｍボトム光源ブロックに対応する第１及び第２画像を分析して代表輝度値を抽出する画像分析部と、代表輝度値を利用して第１〜第ｋトップ光源ブロックの明度を制御する第１〜第ｋトップデューティ比及び第１〜第ｍボトム光源ブロックの明度を制御する第１〜第ｍボトムデューティ比を決定するディミングレベル決定部を含むことができる。
【００１３】
本発明の一実施形態において、デューティ制御信号発生部は、立体画像イネーブル信号がローの場合、第１〜第ｋトップデューティ制御信号を利用して第１〜第ｋトップ駆動信号を生成し、立体画像イネーブル信号がハイの場合、第１区間で第１〜第ｋトップデューティ制御信号を利用して第１〜第ｋトップ駆動信号を生成する第１変換部と、立体画像イネーブル信号がローの場合、第１〜第ｍボトムデューティ制御信号を利用して第１〜第ｍボトム駆動信号を生成し、立体画像イネーブル信号がハイの場合、第２区間で第１〜第ｍボトムデューティ制御信号を利用して第１〜第ｍボトム駆動信号を生成する第２変換部を含むことができる。
【００１４】
本発明の一実施形態において、第１変換部は、第１区間に対応してハイレバルを有する第１イネーブル信号に応答して第１〜第ｋトップデューティ制御信号を通過させ、第２区間に対応してハイレバルを有する第２イネーブル信号に応答して第１〜第ｋトップデューティ制御信号を遮断させる第１スイッチング部と、第１スイッチング部から提供される第１〜第ｋトップデューティ制御信号を利用して第１〜第ｋトップ駆動信号を生成し、第１発光モジュールを駆動する第１駆動部を含むことができる。
【００１５】
本発明の一実施形態において、第２変換部は、第２区間に対応してハイレバルを有する第２イネーブル信号に応答して第１〜第ｍボトムデューティ制御信号を通過させ、第１区間に対応してハイレバルを有する第１イネーブル信号に応答して第１〜第ｍボトムデューティ制御信号を遮断させる第２スイッチング部と、第２スイッチング部から提供される第１〜第ｍボトムデューティ制御信号を利用して第１〜第ｍボトム駆動信号を生成し、第２発光モジュールを駆動する第２駆動部を含むことができる。
【００１８】
本発明の一実施形態において、第１イネーブル信号は第１画像が含む左眼画像の垂直開始信号に応答して予め設定された時間後に同期され、前記第２イネーブル信号は第２画像が含む右眼画像の垂直開始信号に応答して予め設定された時間後に同期されることができる。
【００１９】
本発明の一実施形態において、第１画像は左眼画像及びブラック画像を含み、第２画像は右眼画像及びブラック画像を含み、第Ｎフレーム及び第（Ｎ＋１）フレームの間に第１画像に含まれた左眼画像は表示パネルの第１〜第ｋ表示ブロックに順次に表示され、第（Ｎ＋２）フレーム及び第（Ｎ＋３）フレームの間に第２画像に含まれた右眼画像は表示パネルの第１〜第ｋ表示ブロックに順次に表示されることができる。
【発明の効果】
【００２０】
本発明によれば、表示装置は並列に印加される第１〜第ｋトップデューティ制御信号を利用してエッジ型発光ダイオードを使う第１発光モジュール及び第２発光モジュールを駆動させるのでディミング駆動をすることができる。また、表示装置はクロストークが減少された立体画像を表示することができるので表示品質を向上させ、表示装置の製造コストを減少させることができる。
【図面の簡単な説明】
【００２１】
【図１】本発明の一実施形態に係る表示装置のブロック図である。
【図２】図１に示した画像変換部の詳細なブロック図である。
【図３】図１の第１発光モジュール、第２発光モジュール、及びデューティ制御信号変換部を説明するための回路図である。
【図４】図１の表示装置に立体画像が表示される時に使われるシャッタメガネ、表示パネル、導光板、第１発光モジュール、第２発光モジュールの斜視図である。
【図５】図１の表示装置に立体画像が表示される時に使われるシャッタメガネ、表示パネル、導光板、第１発光モジュール、第２発光モジュールの斜視図である。
【図６】図１に示した第１及び第２発光モジュールの駆動方法及びそれを利用した表示装置の画像表示方法を説明するためのタイミング図である。
【図７】図１に示した第１及び第２発光モジュールの駆動方法及びそれを利用した表示装置の画像表示方法を説明するためのタイミング図である。
【発明を実施するための最良の形態】
【００２２】
以下、図面を参照して本発明の表示装置の望ましい実施形態をより詳細に説明する。
【００２３】
図１は本発明の一実施形態に係る表示装置のブロック図である。
図１を参照すると、本実施形態に係る表示装置は、表示ユニット１００、画像変換部２００、タイミング制御部３００、及び光源モジュール４００を含み、平面画像及び立体画像を選択的に表示することができる。また、表示装置は、１９２０×１０８０の解像度を有するＦＨＤ（Ｆｕｌｌ  Ｈｉｇｈ  ｄｅｆｉｎｉｔｉｏｎ）級の高解像度の表示パネル１１０を具備することができる。
表示ユニット１００は、表示パネル１１０及び前記表示パネル１１０を駆動するパネル駆動部１３０を含む。パネル駆動部１３０は、データ駆動部１３２及びゲート駆動部１３４を含む。
【００２４】
表示パネル１１０は、データ駆動部１３２から出力されるデータ信号及びゲート駆動部１３４から出力されるゲート信号に基づいて画像を表示する。
【００２５】
表示パネル１１０は、２つの基板と、基板の間に介在した液晶層を含むことができ、画像を表示する複数の画素から形成される。各画素は互いに交差するゲートラインとデータラインに電気的に連結されたスイッチング素子、スイッチング素子に電気的に連結された液晶キャパシタ、及びストレージ・キャパシタを含むことができる。
【００２６】
データ駆動部１３２は、タイミング制御部３００から受信した第１制御信号ＣＯＮＴ１及び画像データ（ＤＡＴＡ）に基づいてデジタルデータ信号をアナログのデータ電圧に変換してデータラインに出力する。
【００２７】
ゲート駆動部１３４は、タイミング制御部３００から受信した第２制御信号ＣＯＮＴ２に基づいて表示パネル１１０に形成されたゲートラインを駆動するためのゲート信号を生成し、生成されたゲート信号をゲートラインに順次出力する。
【００２８】
画像変換部２００は、外部に備わったビデオシステム（図示せず）から第１画像信号を受信する。第１画像信号は平面画像または立体画像であってもよい。画像変換部２００は、前記第１画像信号が立体画像の場合には、第１画像信号を左眼画像及び右眼画像に分離して再組み合わせる画像処理を行い、第１出力画像２０１ａをタイミング制御部３００に提供し、第１画像信号が平面画像の場合には、第２出力画像２０１ｂをタイミング制御部３００に提供する。
【００２９】
タイミング制御部３００は、外部から印加される制御信号ＣＯＮＴを利用してデータ駆動部１３２の駆動タイミングを制御するための第１制御信号ＣＯＮＴ１及びゲート駆動部１３４の駆動タイミングを制御するための第２制御信号ＣＯＮＴ２を生成して、データ駆動部１３２及びゲート駆動部１３４に提供する。
また、タイミング制御部３００は、光源駆動部４５０の駆動タイミングを制御するための第３制御信号ＣＯＮＴ３及び光源駆動部４５０の駆動信号を生成するための第２画像信号ＤＳを光源駆動部４５０の画像分析部４５２に提供する。
【００３０】
光源モジュール４００は、導光板４０１、第１発光モジュール４１０、第２発光モジュール４３０、及び光源駆動部４５０を含む。
【００３１】
第１発光モジュール４１０及び第２発光モジュール４３０の各々は、導光板４０１の第１エッジ及び第２エッジに隣接するように配置される。第１発光モジュール４１０及び第２発光モジュール４３０の各々は、第１〜第ｋトップ光源ブロック（ｌｉｇｈｔ  ｓｏｕｒｃｅ  ｂｌｏｃｋ：ＬＳＢ）及び第１〜第ｍボトム光源ブロックからなる。
光源ブロックＬＳＢの各々は、複数の発光ダイオード（Ｌｉｇｈｔ  Ｅｍｉｔｔｉｎｇ  Ｄｉｏｄｅｓ：ＬＥＤｓ）を含むことができる（ｋ、ｍは自然数である）。第１発光モジュール４１０と第２発光モジュール４３０を構成する光源ブロックの数は、互いに同一または異なることもできる（つまり、ｋとｍは同一または異なることもある）。以下、説明の便宜上、光源駆動部４５０の機能に関してはｋとｍが同一の実施形態について説明する。
【００３２】
光源駆動部４５０は、ディミング制御部４５１及びデューティ制御信号変換部４５７を含む。
【００３３】
ディミング制御部４５１は、画像分析部４５２、ディミングレベル決定部４５３、デューティ制御信号発生部４５５、及びデューティ制御信号変換部４５７を含む。
【００３４】
画像分析部４５２は、タイミング制御部３００から提供された第３制御信号ＣＯＮＴ３及び第２画像信号ＤＳを利用して、第１〜第ｋトップ光源ブロック及び第１〜第ｍボトム光源ブロックの代表輝度値を決定する。例えば、フレーム単位の第２画像信号を分析して第１〜第ｋ各光源ブロック及び第１〜第ｍボトム光源ブロックから入射された光が表示パネルに出射される表示ブロックＤＢの代表輝度値を決定する。光源ブロックの代表輝度値は、表示ブロックに含まれた画像信号階調の最大値、平均値、加重平均値、及び最大値と平均値との間の最適値などを利用して決定することができる。
【００３５】
ディミングレベル決定部４５３は、代表輝度値を利用して第１〜第ｋトップ光源ブロックそれぞれの光量を決める第１〜第ｋトップデューティ比及び第１〜第ｍボトム光源ブロックそれぞれの光量を決める第１〜第ｍボトムデューティ比を決める。
【００３６】
デューティ制御信号発生部４５５は、第１〜第ｋトップデューティ比を利用して第１〜第ｋトップ光源ブロックＬＳＢそれぞれの光量を制御する第１〜第ｋトップデューティ制御信号を生成する。また、デューティ制御信号発生部４５５は、第１〜第ｍボトムデューティ比を利用して第１〜第ｍボトム光源ブロックＬＳＢそれぞれの光量を制御する前記第１〜第ｍボトムデューティ制御信号を生成する。
【００３７】
デューティ制御信号発生部４５５は、第３制御信号ＣＯＮＴ３を利用して特定周波数を有する第１〜第ｋトップデューティ制御信号と、第１〜第ｍボトムデューティ制御信号を生成する。望ましくは、第３制御信号ＣＯＮＴ３は、垂直開始信号及び水平同期信号を含むことができる。
【００３８】
デューティ制御信号変換部４５７は、デューティ制御信号発生部４５５でパルス幅及び周波数が制御された第１〜第ｋトップデューティ制御信号及び第１〜第ｍボトムデューティ制御信号を、第１発光モジュール４１０及び第２発光モジュール４３０のそれぞれに印加される信号形態を有する第１〜第ｋトップ駆動信号及び第１〜第ｍボトム駆動信号に変換して出力する。
例えば、デューティ制御信号変換部４５７は直流電圧ＤＣを交流電圧ＡＣに変換するコンバータ（Ｃｏｎｖｅｒｔｏｒ）を含むことができる。
【００３９】
図２は図１に示した画像変換部の詳細なブロック図である。
【００４０】
図１及び図２を参照すると、画像変換部２００はモード判断部２１０、分離部２２０、スケーラー２３０及びブラック画像生成部２４０を含む。
【００４１】
モード判断部２１０は第１画像信号のモードを判断する。例えば、モード判断部２１０は、第１画像信号が前記立体画像ならば、第１画像信号を分離部２２０に伝達して一連の信号処理を経てタイミング制御部３００に第１出力画像２０１ａを提供する役割を果たし、第１画像信号が平面画像ならば、第１画像信号を第２出力画像２０１ｂとしてタイミング制御部３００に直接提供する。
【００４２】
第１画像信号が立体画像の場合、左眼画像と右眼画像が混在しているので、分離部２２０はモード判断部２１０から受信した第１画像信号を左眼画像及び右眼画像に分離する。
【００４３】
スケーラー２３０は分離部２２０から伝送された左眼画像及び右眼画像のそれぞれの解像度を表示パネル１１０の解像度に合うようにフォーマット変換してブラック画像生成部２４０に伝送する。
【００４４】
ブラック画像生成部２４０は、ブラック画像を生成し、ブラック画像をスケーラー２３０から伝送を受けた左眼画像と右眼画像との間に挿入して形成された第１出力画像２０１ａをタイミング制御部３００に出力する。
【００４５】
タイミング制御部３００は、第１出力画像２０１ａまたは第２出力画像２０１ｂの印加を受けると、それぞれの出力画像２０１ａ、２０１ｂを表示パネル１１０に含まれた表示ブロックＤＢに対応して表示されるように出力画像２０１ａ、２０１ｂの表示タイミングを制御する。
【００４６】
図３は図１の第１発光モジュール４１０、第２発光モジュール４３０、及びデューティ制御信号変換部４５７を説明するための回路図である。
【００４７】
図１及び図３を参照すると、デューティ制御信号変換部４５７は昇圧部４５７ａ、第１変換部４５７ｂ、及び第２変換部４５７ｃを含む。
【００４８】
昇圧部４５７ａはインダクタＬ、ダイオードＤ、スイッチング素子ＳＷ及びコンバータ４５７ａ１を含む。
【００４９】
スイッチング素子ＳＷは、インダクタＬ及びダイオードＤとコンバータ４５７ａ１を電気的に接続させる。第１発光モジュール４１０及び第２発光モジュール４３０は、ダイオードＤのカソードと接続される。インダクタＬの一端及びダイオードＤのアノードは、コンバータ４５７ａ１と接続される。昇圧部４５７ａの出力端子は、複数の発光ダイオードが直列に接続して構成された光源ブロックのアノードに共通して接続される。コンバータ４５７ａ１は、入力電圧Ｖｉｎを昇圧された出力電圧Ｖｏｕｔに変換する機能を有する。
【００５０】
従って、インダクタＬに入力電圧Ｖｉｎが印加されると、入力電圧Ｖｉｎは昇圧されて出力電圧Ｖｏｕｔとして第１発光モジュール４１０及び第２発光モジュール４３０に提供されることができる。そこで、入力電圧Ｖｉｎ及び出力電圧Ｖｏｕｔは、直流電圧であってもよい。
【００５１】
第１変換部４５７ｂは、第１スイッチング部４５７ｄ１及び第１駆動部４５７ｄ２を含む。
【００５２】
第２変換部４５７ｃは、第２スイッチング部４５７ｅ１及び第２駆動部４５７ｅ２を含む。
【００５３】
第１スイッチング部４５７ｄ１は複数の第１スイッチＳＥ１を含み、第２スイッチング部４５７ｅ１は複数の第２スイッチＳＥ２を含む。例えば、第１スイッチング部４５７ｄ１及び第２スイッチング部４５７ｅ１は、各々第１〜第ｋスイッチ及び第１〜第ｍスイッチを含むことができる（ｋ、ｍは自然数である）。以下、第１スイッチング部４５７ｄ１及び第２スイッチング部４５７ｅ１は、ｋとｍが同一である場合を例として説明する。
【００５４】
第１スイッチング部４５７ｄ１及び第２スイッチング部４５７ｅ１は、図１のデューティ制御信号発生部４５５から、第１トップデューティ制御信号ＰＷＭ１〜第ｋトップデューティ制御信号ＰＷＭｋ及び第１ボトムデューティ制御信号ＰＷＭ１〜第ｍボトムデューティ制御信号ＰＷＭｍの印加を受ける。本実施形態では、ｍとｋが同一の場合を例としたので、第１トップデューティ制御信号ＰＷＭ１〜第ｋトップデューティ制御信号ＰＷＭｋは、第１スイッチング部４５７ｄ１及び第２スイッチング部４５７ｅ１に並列に印加されることができる。
【００５５】
第１スイッチング部４５７ｄ１は、さらに第１イネーブル信号ＴＥの印加を受けることができ、第２スイッチング部４５７ｅ１は、さらに第２イネーブル信号ＢＥの印加を受けることができる。
【００５６】
第１スイッチング部４５７ｄ１の第１スイッチＳＥ１は、第１イネーブル信号ＴＥに応答して第１トップデューティ制御信号ＰＷＭ１〜第ｋトップデューティ制御信号ＰＷＭｋを第１駆動部４５７ｄ２に提供する。第２スイッチング部４５７ｅ１の第２スイッチＳＥ２は、第２イネーブル信号ＢＥに応答して第１トップデューティ制御信号ＰＷＭ１〜第ｋトップデューティ制御信号ＰＷＭｋを第２駆動部４５７ｅ２に提供する。
【００５７】
そこで、第１駆動部４５７ｄ２及び第２駆動部４５７ｅ２には、立体画像イネーブル信号３ＤＥが印加されるが、立体画像イネーブル信号３ＤＥは、第２画像信号ＤＳが平面画像の場合はロー値を有し、第２画像信号ＤＳが立体画像の場合はハイ値を有する。
【００５８】
また、第２画像信号ＤＳが平面画像の場合に、第１イネーブル信号ＴＥ及び第２イネーブル信号ＢＥはハイ値を有し、第２画像信号ＤＳが立体画像の場合には、第１イネーブル信号ＴＥ及び第２イネーブル信号ＢＥは相補的な値を有する。例えば、第１イネーブル信号ＴＥがハイ値を有すると、第２イネーブル信号ＢＥはロー値を有し、第１イネーブル信号ＴＥがロー値を有すると、第２イネーブル信号ＢＥはハイ値を有する。
【００５９】
第１駆動部４５７ｄ２及び第２駆動部４５７ｅ２は、第１スイッチング部４５７ｄ１及び第２スイッチング部４５７ｅ１から提供される第１トップデューティ制御信号ＰＷＭ１〜第ｋトップデューティ制御信号ＰＷＭｋを、第１発光モジュール４１０及び第２発光モジュール４３０の各々に印加される信号形態を有する第１〜第ｋトップ駆動信号及び第１〜第ｍボトム駆動信号に変換して出力する。本実施形態では、ｋとｍが同一の場合を例として説明するので、図３の第１駆動部４５７ｄ２及び第２駆動部４５７ｅ２は、各々ｋ個の駆動信号を出力することができる。
【００６０】
第２画像信号ＤＳが平面画像の場合に、第１発光モジュール４１０及び第２発光モジュール４３０は、ハイ値を有する第１イネーブル信号ＴＥ及び第２イネーブル信号ＢＥにより実質的に同じ第１〜第ｋトップ駆動信号及び第１〜第ｍボトム駆動信号の印加を受ける。従って、第１発光モジュール４１０及び第２発光モジュール４３０は、正常的なディミング駆動を遂行する。
【００６１】
しかし、第２画像信号ＤＳが立体画像の場合は、第１発光モジュール４１０及び第２発光モジュール４３０には、第１トップデューティ制御信号ＰＷＭ１〜第ｋトップデューティ制御信号ＰＷＭｋが、第１〜第ｋトップ駆動信号及び前記第１〜第ｍボトム駆動信号として相補的に提供されるので、正常的なディミング駆動のみならず、表示パネル１１０は立体画像を表示することができる。
【００６２】
図４及び図５は、図１の表示装置に立体画像が表示される時に使われるシャッタメガネ、表示パネル、導光板、第１発光モジュール、及び第２発光モジュールの斜視図である。
【００６３】
図１、図３、図４及び図５を参照すると、本発明の一実施形態に係る表示パネル１１０は、第１表示ブロックＤＢ１〜第６表示ブロックＤＢ６を含むことができる。第１表示ブロックＤＢ１〜第６表示ブロックＤＢ６に対応する左眼画像または右眼画像が、第１表示ブロックＤＢ１〜第６表示ブロックＤＢ６に順次に表示されることができる。
【００６４】
光源モジュール４００に含まれる第１発光ブロックＬＥＢ１〜第６発光ブロックＬＥＢ６の各々は、表示パネル１１０が含む第１表示ブロックＤＢ１〜第６表示ブロックＤＢ６の各々に光を提供する。即ち、第１〜第ｋ発光ブロック（Ｌｉｇｈｔ−ｅｍｉｔｔｉｎｇ  ｂｌｏｃｋ：ＬＥＢ）は、第１表示ブロックＤＢ１〜第ｋ表示ブロックＤＢｋに対応することができる。本実施形態においては、ｋがｍと同一の場合を説明したので、表示ブロックを第１表示ブロックＤＢ１〜第ｋ表示ブロックＤＢｋに示す。
【００６５】
本実施形態での発光ブロックは、互いに対向する第１発光モジュール４１０及び第２発光モジュール４３０の光源ブロックと互いに対向する光源ブロックから入射された光を表示パネル１１０に出射させる導光板の一部分として第１発光ブロックＬＥＢ１〜第６発光ブロックＬＥＢ６が定義されることができる。
【００６６】
第１発光モジュール４１０は、第１〜第６トップ駆動信号に基づいた光を第１発光ブロックＬＥＢ１〜第６発光ブロックＬＥＢ６に提供し、第２発光モジュール４３０は、第１〜第６ボトム駆動信号に基づいた光を第１発光ブロックＬＥＢ１〜第６発光ブロックＬＥＢ６に提供する。
【００６７】
例えば、図４を参照すると、左眼画像が第１表示ブロックＤＢ１〜第６表示ブロックＤＢ６に表示される時、第１発光モジュール４１０は点灯し、第２発光モジュール４３０は消灯することができる。図５を参照すると、左眼画像が第１表示ブロックＤＢ１〜第６表示ブロックＤＢ６に表示される時、第２発光モジュール４３０は点灯し、第１発光モジュール４１０は消灯することができる。
【００６８】
即ち、１フレーム単位の左眼画像が前記第１表示ブロックＤＢ１〜第６表示ブロックＤＢ６に表示される時、第１発光モジュール４１０及び第２発光モジュール４３０が交互に点灯し消灯される。
【００６９】
従って、第１発光モジュール４１０が点灯される時、第１発光モジュール４１０と近接した導光板４０１領域の光量が一番強く、第２発光モジュール４３０と近接した導光板４０１領域の光量が一番小さいので、導光板４０１は第１発光モジュール４１０と近接した領域から第２発光モジュール４３０に近接した領域に近くなるほど光量がダウン・グラデーションされることができる。また、第２発光モジュール４３０が点灯される時、第２発光モジュール４３０と近接した導光板４０１領域の光量が一番強く、第１発光モジュール４１０と近接した導光板４０１領域の光量が一番小さいので、導光板４０１は第１発光モジュール４１０と近接した領域から第２発光モジュール４３０に近接した領域に近くなるほど光量がアップ・グラデーションされることができる。
【００７０】
光源モジュール４００は、赤外線発光部（図示せず）をさらに含むことができる。赤外線発光部は赤外線信号を発生する複数の赤外線光源（ＩＲ  ＬＥＤ）を含むことができる。赤外線発光部はシャッタメガネ６００の駆動を制御するための同期信号に応じて赤外線信号を発生する。
【００７１】
シャッタメガネ６００は、左眼レンズ部６１０及び右眼レンズ部６２０を含む。左眼レンズ部６１０は、第１レンズ６１１及び第１シャッタ６１３を含み、右眼レンズ部６２０は、第２レンズ６２１及び第２シャッタ６２３を含む。シャッタメガネ６００は、表示パネル１１０に左眼画像が表示されると、第１シャッタ６１３を開いて第２シャッタ６２３は閉じ、表示パネル１１０に右眼画像が表示されると、第２シャッタ６２３は開いて第１シャッタ６１３は閉じる。
【００７２】
結果的に、観察者は１フレームの間、表示パネル１１０に表示された左眼フレーム画像を認めることができる。同一方式で、観察者は１フレームの間、表示パネル１１０に表示された右眼フレーム画像を認めることができる。
【００７３】
図６及び図７は、図１に図示した第１及び第２発光モジュールの駆動方法及びそれを利用した表示装置の画像表示方法を説明するためのタイミング図である。
【００７４】
図１、図４〜図７を参照すると、表示パネル１１０は対応する導光板４０１の光量により第１表示領域ＤＡ１〜第６表示領域ＤＡ６に分けることができる。
【００７５】
例えば、第１発光モジュール４１０に近接した表示パネル１１０は第１表示領域ＤＡ１で示すことができ、第２発光モジュール４３０に近接した表示パネル１１０は、第６表示領域ＤＡ６に示すことができる。第１表示領域ＤＡ１と第６表示領域ＤＡ６との間は、第２表示領域ＤＡ２〜第５表示領域ＤＡ５として定義することができる。
【００７６】
第１表示領域ＤＡ１〜第６表示領域ＤＡ６の各々に第１画像データＤＤ１〜第６画像データＤＤ６が印加されることができる。
【００７７】
本実施形態において、例として挙げた第１画像データＤＤ１〜第６画像データＤＤ６は、表示パネル１１０を第１表示領域ＤＡ１〜第６表示領域ＤＡ６に分けた時、第１表示領域ＤＡ１〜第６表示領域ＤＡ６に提供されるデータである。従って、Ｐ個に分けられた複数のゲートライングループに対応してＰ個の表示領域及びＰ個の画像データに分けられることもできる（ここで、Ｐは自然数）。
【００７８】
第１画像データＤＤ１〜第６画像データＤＤ６は、各々左眼画像、ブラック画像及び右眼画像を交互に表示領域に提供する。
【００７９】
例えば、第１画像データＤＤ１〜第６画像データＤＤ６の１フレームの左眼画像は、１フレームのブラック画像と順次に組合わせられて、各々の第Ｎフレーム及び第（Ｎ＋１）フレームの間、第１表示領域ＤＡ１〜第６表示領域ＤＡ６に提供される（Ｎは自然数）。即ち、図１及び図７に図示した画像データ（ＤＡＴＡ）が含む左眼画像Ｌは、第Ｎフレームの間に前記表示パネル１１０に提供され、画像データ（ＤＡＴＡ）が含むブラックＢは、（Ｎ＋１）フレームの間、表示パネル１１０に提供される。
【００８０】
この時、図１のゲート駆動部１３４で順次に発生するゲートオン信号により、表示パネルの第１表示領域ＤＡ１〜第６表示領域ＤＡ６に、第１画像データＤＤ１〜第６画像データＤＤ６が提供されることができる。  従って、図６に示したように第１画像データＤＤ１〜第６画像データＤＤ６に対応する左眼画像信号は、第１画像データＤＤ１から第６画像データＤＤ６に近づくほど順次にシフトされる形状を有する。本実施形態では、表示装置は、図７の平面画像に対応して１２０Ｈｚで駆動され、立体画像に対応して２４０Ｈｚで駆動されることができる。
【００８１】
図３、図４及び図６には、第１駆動部４５７ｄ２及び第２駆動部４５７ｅ２のみが各々一つの駆動チップで構成されることを示したが、第１スイッチング部４５７ｄ１及び第１駆動部４５７ｄ２が一つの駆動チップで構成されることができ、第２スイッチング部４５７ｅ１及び第２駆動部４５７ｅ２が一つの駆動チップで構成されることができる。この場合、第１〜第ｋ発光ブロックＬＥＢの各々に対応して１フレーム単位の左眼画像または右眼画像の区間がブラック画像区間より大きくなるように相変異が可能になるので、立体画像表示の時に輝度低下を防止することができる。
【００８２】
第１イネーブル信号ＴＥがハイの時、導光板４０１から出射される光量は前記第１発光モジュール４１０に隣接した領域で最も大きく、第２発光モジュール４３０に隣接した領域で最も小さい。実質的に第２発光モジュール４３０は消灯された状態である。
【００８３】
第１シャッタ６１３をオープンさせる第１シャッタ信号Ｓ１は、左眼画像及びブラック画像が印加される二つのフレームに対応してターンオンされ、続いて、右眼画像及びブラック画像が印加される二つのフレームの間、ターンオフされる。そこで、二つのフレームは、第１イネーブル信号ＴＥの１周期または第２イネーブル信号ＢＥの１周期であることができる。
【００８４】
この時、第１イネーブル信号ＴＥ及び第１シャッタ信号Ｓ１は、第１画像データＤＤ１に含まれた左眼画像の垂直開始信号に応答して予め設定された時間のｔ０後に同期される。
【００８５】
再び、図５及び図６を参照すると、第２イネーブル信号ＢＥがハイの時、導光板４０１から出射される光量は、第２発光モジュール４３０に隣接した領域で最も大きく、第１発光モジュール４１０に隣接した領域で対応して一番小さい。実質的に第１発光モジュール４１０は消灯された状態である。
【００８６】
第２シャッタ６２３をオープンさせる第２シャッタ信号Ｓ２は、右眼画像及びブラック画像が印加される二つのフレームに対応してターンオンし、続いて、左眼画像及びブラック画像が印加される二つのフレームの間、ターンオフされる。そこで、二つのフレームは第１イネーブル信号ＴＥの１周期または第２イネーブル信号ＢＥの１周期であることができる。
【００８７】
この時、第２イネーブル信号ＢＥ及び第２シャッタ信号Ｓ２は、第１画像データＤＤ１に含まれた右眼画像の垂直開始信号に応答して予め設定された時間のｔ０後に同期される。
【００８８】
再び、図３、図６及び図７を参照すると、表示パネル１１０に画像データ（ＤＡＴＡ）が提供される。第（Ｎ−２）フレーム及び第（Ｎ−１）フレームの間、画像データ（ＤＡＴＡ）は平面画像に対応するので立体画像イネーブル信号３ＤＥはロー値を有し、第１イネーブル信号ＴＥ及び第２イネーブル信号ＢＥはハイ値を有する。
【００８９】
従って、第１変換部４５７ｂ及び第２変換部４５７ｃは、第１トップデューティ制御信号ＰＷＭ１〜第ｋトップデューティ制御信号ＰＷＭｋを、第１〜第ｋトップ駆動信号及び第１〜第ｍボトム駆動信号として出力することができる。  例えば、第１トップデューティ制御信号ＰＷＭ１及び第ｋトップデューティ制御信号ＰＷＭｋの信号は、第１駆動部４５７ｄ２の出力チャネルの第１チャネルＣＨ１及び第ｋチャネルＣＨｋの信号と各々実質的に同一であり、第２駆動部４５７ｅ２の出力チャネルの第１チャネルＣＨ１及び第ｋチャネルＣＨｋの信号と各々実質的に同一であることもできる。
【００９０】
再び図７を参照すると、第Ｎフレーム及び第（Ｎ＋４）フレームの間、左眼画像が印加されて第（Ｎ＋２）フレームの間、右眼画像が印加されることができる。  第（Ｎ＋１）フレーム、第（Ｎ＋３）フレーム、及び第（Ｎ＋５）フレームの間、ブラック画像が印加されることができる。
【００９１】
第１区間の第Ｎフレーム、第（Ｎ＋２）フレーム、及び第（Ｎ＋４）フレームの間、画像データ（ＤＡＴＡ）は左眼画像または右眼画像に対応するので、前記立体画像イネーブル信号３ＤＥはハイ値を有し、第１イネーブル信号ＴＥはハイ値を有し、前記第２イネーブル信号ＢＥはロー値を有する。
【００９２】
従って、第１変換部４５７ｂは、第１トップデューティ制御信号ＰＷＭ１〜第ｋトップデューティ制御信号ＰＷＭｋを出力することができるが、第２変換部４５７ｃは、ロー値を有する信号を出力する。例えば、第１駆動部４５７ｄ２の出力チャネルの第１チャネルＣＨ１及び第ｋチャネルＣＨｋを通じて出力される信号は、第Ｎフレーム、前記第（Ｎ＋２）フレーム、及び第（Ｎ＋４）フレームに対応して第１トップデューティ制御信号ＰＷＭ１及び第ｋトップデューティ制御信号ＰＷＭｋである。この時、第１トップデューティ制御信号ＰＷＭ１及び第ｋトップデューティ制御信号ＰＷＭｋは、約２倍昇圧して出力されることができる。昇圧される前記第１トップデューティ制御信号ＰＷＭ１及び第ｋトップデューティ制御信号ＰＷＭｋにより、立体画像表示の時にブラック画像の挿入により低下した輝度を補償することができる。反面、第２駆動部４５７ｅ２の出力チャネルの第１チャネルＣＨ１及び第ｋチャネルＣＨｋを通じて出力される信号は、第Ｎフレーム、第（Ｎ＋２）フレーム、及び第（Ｎ＋４）フレームに対応してロー値を有する。
【００９３】
第２区間の第（Ｎ＋１）フレーム、第（Ｎ＋３）フレーム、及び第（Ｎ＋５）フレームの間に、画像データ（ＤＡＴＡ）はブラック画像に対応するので立体画像イネーブル信号３ＤＥはハイ値を有し、第１イネーブル信号ＴＥはロー値を有して前記第２イネーブル信号ＢＥはハイ値を有する。
【００９４】
従って、第２変換部４５７ｃは第１トップデューティ制御信号ＰＷＭ１〜第ｋトップデューティ制御信号ＰＷＭｋを出力することができるが、第１変換部４５７ｂはロー値を有する信号を出力する。例えば、第２駆動部４５７ｅ２の出力チャネルの前記第１チャネルＣＨ１及び前記第ｋチャネルＣＨｋの信号は、第（Ｎ＋１）フレーム、第（Ｎ＋３）フレーム、及び第（Ｎ＋５）フレームに対応して第１トップデューティ制御信号ＰＷＭ１及び第ｋトップデューティ制御信号ＰＷＭｋを出力する。この時、第１トップデューティ制御信号ＰＷＭ１及び第ｋトップデューティ制御信号ＰＷＭｋは、約２倍昇圧して出力されることができる。昇圧される第１トップデューティ制御信号ＰＷＭ１及び第ｋトップデューティ制御信号ＰＷＭｋにより立体画像表示の時に、ブラック画像の挿入により低下した輝度を補償することができる。反面、第１駆動部４５７ｄ２の出力チャネルの第１チャネルＣＨ１及び第ｋチャネルＣＨｋの信号は、第（Ｎ＋１）フレーム、第（Ｎ＋３）フレーム、及び（Ｎ＋５）フレームに対応してロー値を出力する。
【００９５】
従って、第１発光モジュール４１０及び第２発光モジュール４３０は、第１区間及び第２区間毎に交互に点灯・消灯して点滅動作を遂行する。
【００９６】
実質的に第１イネーブル信号ＴＥは、第１シャッタ信号Ｓ１と同じく第１画像データＤＤ１に含まれた左眼画像の垂直開始信号に応答して予め設定された時間のｔ０後に同期されることができる。また、第２イネーブル信号ＢＥは、第２シャッタ信号Ｓ２と同じく、第１画像データＤＤ１に含まれた右眼画像の垂直開始信号に応答して予め設定された時間のｔ０後に同期されることができる。
【００９７】
本実施形態において、立体画像具現時に、左眼画像及び右眼画像の垂直開始信号に応答して予め設定された時間ｔ０の間、表示パネル１１０に光が提供されない場合がある。また、第１表示プロックＤＢ１〜第６表示ブロックＤＢ６に対応する画像データにより前記光源モジュール４００をディミング駆動させることができ、ブラック画像が挿入された左眼画像及び右眼画像が第１表示ブロックＤＢ１〜第６表示ブロックＤＢ６に順次に表示される。従って、表示パネル１１０でブラック画像が完全に具現されなくても液晶の遅い応答によりクロストークが発生することを防止することができる。
【００９８】
また、本実施形態によると、１次元ディミングを実現する光源モジュールで、デューティ制御信号変換部４５７は、第１トップデューティ制御信号ＰＷＭ１〜第ｋトップデューティ制御信号ＰＷＭｋを並列で印加を受け取ることによって直列通信方式のためのロジック部が省略されることができる。従って、光源モジュールの回路構造が簡単になって、追加費用無しでシャッタメガネ式立体画像具現のクロストーク低減のための点滅動作が可能になり製造コストを削減することができる。
【００９９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【産業上の利用可能性】
【０１００】
以上、説明した通り、表示装置は並列に印加される第１トップデューティ制御信号〜第ｋトップデューティ制御信号を利用してエッジ型発光ダイオードを使用する第１発光モジュール及び第２発光モジュールを駆動させるので、ディミング駆動をすることができる。また、前記表示装置はクロストークが減少した立体画像を表示することができるので、表示品質を向上させ、表示装置の製造コストを減少させることができる。
【符号の説明】
【０１０１】
１００                表示ユニット
１１０                表示パネル
１３０                パネル駆動部
１３２                データ駆動部
１３４                ゲート駆動部
２００                画像変換部
２０１ａ              第１出力画像
２０１ｂ              第２出力画像
２１０                モード判断部
２２０                分離部
２３０                スケーラー
２４０                ブラック画像生成部
３００                タイミング制御部
４００                光源モジュール
４０１                導光板
４１０                第１発光モジュール
４３０                第２発光モジュール
４５０                光源駆動部
４５１                ディミング制御部
４５２                画像分析部
４５３                ディミングレベル決定部
４５５                デューティ制御信号発生部
４５７                デューティ制御信号変換部
４５７ａ              昇圧部
４５７ｂ              第１変換部
４５７ｃ              第２変換部
４５７ｄ１            第１スイッチング部
４５７ｄ２            第１駆動部
４５７ｅ１            第２スイッチング部
４５７ｅ２            第２駆動部
６００                シャッタメガネ
６１０                左眼レンズ部
６１１                第１レンズ
６１３                第１シャッタ
６２０                右眼レンズ部
６２１                第２レンズ
６２３                第２シャッタ
【図１】
0005873267.tif 000002
【図２】
0005873267.tif 000003
【図３】
0005873267.tif 000004
【図４】
0005873267.tif 000005
【図５】
0005873267.tif 000006
【図６】
0005873267.tif 000007
【図７】
0005873267.tif 000008